(57)【要約】      （修正有）【課題】前あき部の開閉が容易で迅速に着脱できると同時に、デザイン性に優れた上衣を提供する。【解決手段】上衣１の前あき部５の一方の縁部には内側前立て部７が設けられており、他方の縁部には外側前立て部８が設けられている。内側前立て部７の外面には、複数の雄側ドットボタン部材１１ｂ、１１ｃ、１１ｄが所定の間隔で取り付けられており、外側前立て部８の内面には、雄側ドットボタン部材１１ｂ、１１ｃ、１１ｄと対となる雌側ドットボタン部材１２ｄ等が雄側ドットボタン部材１１ｂ、１１ｃ、１１ｄと同一の間隔で取り付けられている。さらにシャツ１には、外側前立て部８の外面に、一個以上の装飾用ボタン２１ａ〜２１ｃが取り付けられており、雄側ドットボタン部材１１ｂ、１１ｃ、１１ｄと雌側ドットボタン部材１２ｄ等とが結合されることにより、内側前立て部７の外側に前記外側前立て部８が重ね合わされた状態で結合されて、前あき部５が装飾用ボタン２１ａ〜２１ｃで閉鎖されるかのような外観を呈する。【選択図】図１
0003175405.tif 000002
【実用新案登録請求の範囲】
【請求項１】
前あき部を有しており、前記前あき部の一方の縁部に内側前立て部が設けられており、他方の縁部に外側前立て部が設けられており、前記前あき部を開閉可能とする止め具を備えている上衣であって、
前記止め具が、雄側ドットボタン部材と雌側ドットボタン部材とを備えているドットボタンであり、
前記内側前立て部の外面に、複数の前記雄側ドットボタン部材が所定の間隔で取り付けられており、前記外側前立て部の内面に、前記雄側ドットボタン部材と対となる複数の前記雌側ドットボタン部材が前記雄側ドットボタン部材と同一の間隔で取り付けられており、
且つ前記外側前立て部の外面に、一個以上の装飾用ボタンが取り付けられており、
前記雄側ドットボタン部材と前記雌側ドットボタン部材とが結合されることにより、前記内側前立て部の外側に前記外側前立て部が重ね合わされた状態で結合されて、前記前あき部が閉鎖されることを特徴とする上衣。
【請求項２】
複数の前記雄側ドットボタン部材が、所定の間隔で内側取付テープに固定されており、
複数の前記雌側ドットボタン部材が、前記雄側ドットボタン部材と同一の間隔で外側取付テープに固定されており、
前記内側取付テープが前記内側前立て部の外面に固定されることで前記雄側ドットボタン部材が前記内側前立て部に取り付けられており、
前記外側取付テープが前記外側前立て部の内面に固定されることで前記雌側ドットボタン部材が前記外側前立て部に取り付けられていることを特徴とする上衣。
【考案の詳細な説明】
【技術分野】
【０００１】
本考案は、開閉可能な止め具を備えた前あき部を有する上衣に関する。特に、開閉可能な止め具がドットボタンであるにもかかわらず、ボタンによって前あき部が閉鎖されているかのような外観を呈する上衣に関する。
【背景技術】
【０００２】
開閉可能な前あき部を備えている種々の上衣が知られている。例えば、ポロシャツ等は、前身頃の胸元に、前身頃の一部を開閉可能とする前あき部を備えている。多くの場合、このようなポロシャツの前あき部には、一方の縁部に内側前立て部が設けられており、他方の縁部に外側前立て部が設けられている。内側前立て部の外側には、止め具として機能するボタンが縫いつけられている。外側前立て部にはボタンホールが設けられている。ボタンをボタンホールにかけると、内側前立て部と外側前立て部が重なった状態となり、前あき部を閉鎖することができる。ボタンをボタンホールから外すと、前あき部が開放される。前あき部が開放されると襟ぐりが広がった状態となり、着脱が容易になる。
【０００３】
また、前身頃の中央に、襟元から裾まで開放可能な前あき部が設けられているジャケットやワイシャツが知られている。このような前あき部もまた、一方の縁部に内側前立て部が設けられており、他方の縁部に外側前立て部が設けられていることが多い。通常は、内側前立て部と外側前立て部のそれぞれに、対をなす止め具が複数設けられる。止め具としては、ボタンとボタンホールを適用することが一般的である。ボタンをボタンホールから全て外すと、前身頃が左右に分かれた状態となり、着脱が容易になる。
【０００４】
しかし、幼児や高齢者にとっては、ボタンホールにボタンをかけたり、ボタンホールからボタンを外したりする動作が難しく、シャツやジャケットの着脱に時間を要する場合があった。そこで、前あき部を閉鎖するボタン以外の止め具として、ファスナーや面ファスナーの使用が検討されてきた。特許文献１には、ボタンの代わりに面ファスナーを止め具に用いたシャツが開示されている。特許文献２には、ボタンの代わりにファスナーを止め具に用いたシャツが開示されている。一方で、特に外出用のドレスシャツやジャケットでは、ファスナーや面ファスナーを用いることがデザイン上好ましくなく、止め具としてボタンを用いることが求められることがあった。
【先行技術文献】
【特許文献】
【０００５】
【特許文献１】実用新案登録第３０７０７９６号公報
【特許文献２】特開２０１１−２６７２４号公報
【考案の概要】
【考案が解決しようとする課題】
【０００６】
特に幼児や高齢者用の上衣においては、前あき部の開放と閉鎖とが容易にできることが好ましい。一方で、デザイン上前あき部がボタンがけで留められているかのような外観が求められることがあり、外観を維持しつつ着脱性を改善する必要があった。
【０００７】
本考案は上記問題点に鑑みてなされたものであって、前あき部の開放と閉鎖とを容易に行えると同時に、前あき部がボタンがけで留められているかのような外観を備えた上衣を提供するためになされたものである。
【課題を解決するための手段】
【０００８】
本考案は、前あき部を有しており、前あき部の一方の縁部に内側前立て部が設けられており、他方の縁部に外側前立て部が設けられており、この前あき部を開閉可能とする止め具を備えている上衣に関する。本考案の上衣は、止め具として、雄側ドットボタン部材と雌側ドットボタン部材とを備えているドットボタンが用いられる。本考案の上衣は、内側前立て部の外面に、複数の雄側ドットボタン部材が所定の間隔で取り付けられており、外側前立て部の内面に、雄側ドットボタン部材と対となる雌側ドットボタン部材が雄側ドットボタン部材と同一の間隔で取り付けられている。これに加えて本考案の上衣は、外側前立て部の外面に、一個以上の装飾用ボタンが取り付けられている。本考案の上衣は、雄側ドットボタン部材と雌側ドットボタン部材とが結合されることにより、内側前立て部の外側に外側前立て部が重ね合わされた状態で結合されて、前あき部が閉鎖されることを特徴とする。
【０００９】
本考案の上衣においては、複数の雄側ドットボタン部材が、所定の間隔で内側取付テープに固定されており、且つ複数の雌側ドットボタン部材が、雄側のドットボタンと同一の固定間隔で外側取付テープに固定されていることが好ましい。このような本考案の上衣においては、内側取付テープが内側前立て部の外面に固定されていることで、雄側ドットボタン部材が内側前立て部に取り付けられている。また外側取付テープが外側前立て部の内面に固定されていることで雌側ドットボタン部材が外側前立て部に取り付けられている。
【考案の効果】
【００１０】
本考案の上衣は、前あき部に適用される開閉可能な止め具として、雄側ドットボタン部材と雌側ドットボタン部材とで一対をなすドットボタンが使用される。ドットボタンは、雄側ドットボタン部材と雌側ドットボタン部材とを重ね合わせて押しつけるとことで片手でも結合することができ、また雄側ドットボタン部材と雌側ドットボタン部材とを別々に保持して離間させることで、瞬時に分離することができる。このため、ドットボタンの開放と閉鎖は、ボタンとボタンホールの結合と開放と比較すると、容易かつ迅速に行うことができる。つまりドットボタンを適用することで、着脱が容易な上衣が提供される。
【００１１】
本考案の上衣は、外側前立て部の外面に装飾用ボタンが配置されている。一方で、ドットボタンが内側前立て部の外面と外側前立て部の内面に配置されているので、前立て部を閉鎖した状態では、ドットボタンが外側からは見えない状態となる。このため、前あき部が装飾用ボタンによるボタンがけで留められているかのような外観を提供することができ、ファッション性、デザイン性に優れている。
【００１２】
本考案の上衣は、複数の雄側ドットボタン部材が所定の間隔で取り付けられた内側取付テープを内側前立て部に固定することで、雄側ドットボタン部材を内側前立て部に取り付けることが可能となる。また複数の雌側ドットボタン部材が、雄側ドットボタン部材と同一の間隔で取り付けられた外側取付テープを外側前立て部に固定することで、雌側ドットボタン部材を外側前立て部に取り付けることを可能とする。ドットボタン部材が予め固定された取付テープを前立て部に取り付ける作業は、製造工程の途中でドットボタン部材を直接前立て部に取り付けるよりも容易であり、作業性が向上すると同時に、ドットボタンの配置の精度を向上させることができる。
【００１３】
これに加えて本考案の上衣は、ドットボタン部材が予め固定された取付テープを使用することによって、ドットボタン部材を外側前立て部に取り付ける際に生地を挟んで配置される座金を、上衣の外面から見えないようにすることが可能である。同時に、ドットボタン部材の取り付けに由来する生地の凹凸を目立たなくすることができる。さらに、内側にドットボタン部材が取り付けられている外側前立て部の外面側に装飾用ボタンを容易に縫い付けられるので、装飾用ボタンの取付位置に制約がなくなる。この結果、デザイン性をさらに向上させることができる。
【図面の簡単な説明】
【００１４】
【図１】図１は、本考案の第一実施例であるポロシャツ１を示す正面図である。
【図２】図２は、ポロシャツ１の前立て部に取り付けられる内側取付テープ１３と下側取付テープ１４を示す図である。
【図３】図３は、本考案の第二実施例であるワイシャツ３１を示す正面図である。
【考案を実施するための形態】
【００１５】
本考案の最適な実施の形態の上衣は、前身頃の一部または全部を開放可能とする前あき部が設けられている。本考案でいう「前身頃の一部を開放可能とする前あき部」とは、前身頃の襟ぐり（襟あきとも言う）から胸元にかけて設けられた切り欠き状の部分であって、開放されると実質的に襟ぐりを拡張することになる部分のことを指す。また「前身頃の全部を開放可能とする前あき部」とは、前身頃の襟ぐりから裾まで連続して設けられており、開放されると前身頃を右と左に分離することが可能な、前身頃の切断部分のことを指す。
【００１６】
本考案でいう「前立て部」とは、前あき部の縁部の、帯状の布が配置されている部分のことを指す。前立て部は、前身頃から延伸している共布が、前身頃の表側または裏側に帯状に折り返されることによって、形成される場合がある。あるいは前立て部は、前身頃とは別体の帯状の生地が縫い合わされて形成される場合がある。前立て部の内部には、補強の目的で、芯地や別布が挟み込まれることがある。本考案の上衣には、前あきの両側の縁部にそれぞれ前立て部が設けられており、その一方を「内側前立て部」と称し、他方を「外側前立て部」と称する。前あき部が閉鎖されるときは、内側前立て部の外側に外側前立て部が重ね合わされた状態となる。
【００１７】
本考案で言う「ドットボタン」とは、凸型の形状を有する雄側の部材と、凹型の形状を有する雌側の部材とからなるボタンの一種のことである。ドットボタンの雄側の部材と雌側の部材とは、重ね合わされて押圧されるといずれか一方又は両方の部材が弾性変形することによって結合し、また一定の力を互いに離間させる方向に加えることで分離させることができる。本考案に於いては、凸側の形状を有するドットボタンの部材を雄側ドットボタン部材と称し、凹型の形状を有するドットボタンの部材を雌側ドットボタン部材と称する。
【００１８】
本考案で言う「装飾用ボタン」とは、デザイン性やファッション性を高めるために、上衣に縫い付けられているボタンのことである。本考案の装飾ボタンは、止め具として用いられているかのような外観を提供するために、通常止め具として機能しているボタンと同等の大きさを有しており、かつ同等の外観を有しているボタンが使用される。
【００１９】
本考案の上衣における「右側」と記載される位置や方向は、着用者の右手側の相対的な位置や方向を指している。同様に「左側」との記載は、着用者の左手側の相対的な位置や方向を指している。また本考案の上衣の「内面」とは、着用時に着用者により近くなる面を指しており「裏面」とも称する。「外面」とは、内面と反対側の着用時に外部により近くなる面を指しており「表面」とも称する。同様に、上衣の「内側」とは、着用時に着用者により近くなる側であって、「裏側」とも称する側のことである。「外側」とは着用時に外部により近くなる側であって、「表側」とも称する側のことである。更に、本考案の上衣において「上部」「下部」との記載は、着用状態を基準とした位置関係に基づくものであって、相対的に襟に近い側を上側と称し、裾に近い側のことを下側と称している。
【００２０】
以下に、本考案を実施するための形態について、図面を参照しつつ実施例によって詳細に説明する。
【実施例】
【００２１】
（第一実施例）
以下に、本考案に係る上衣の第一実施例であるポロシャツ１について詳細に説明する。図１は、第一実施例に係るポロシャツ１の正面図である。本実施例のポロシャツ１は、襟３を身頃に取り付ける襟台９が、身頃に対して斜めに立ち上がっている「立襟型」のポロシャツである。ポロシャツ１は、前身頃２と、後ろ身頃６と、襟３と、袖４とを備えており、前身頃２の襟ぐりから胸元にかけての領域を開放可能とする切り欠き状の前あき部５が設けられている。ポロシャツ１の、前あき部５の右側の縁部には、前身頃２の生地の縁部を内側へ帯状に折り曲げて縫い合わせることで、内側前立て部７が設けられている。前あき部５の左側の縁部にもまた、前身頃２の生地の縁部を内側へ帯状に折り曲げて前身頃と縫い合わせることで、外側前立て部８が設けられている。尚、本実施例では、重ね合わせたときに左側の前立て部が外側となるポロシャツ１について説明を行っているが、前立て部のどちら側を外側とするかは、適宜変更が可能である。
【００２２】
図２に、ポロシャツ１の前立て部に取り付けられる内側取付テープ１３と外側取付テープ１４を示す。芯地で形成された内側取付テープ１３には、３個の雄側ドットボタン部材１１ａ、１１ｂ、１１ｃ（以下、雄側ドットボタン部材を総称して、雄側ドットボタン部材１１とも言う）が一定の間隔で取り付けられている。また、内側取付テープ１３と同一の芯地で形成された外側取付テープ１４には、雌側ドットボタン部材１２ａ、１２ｂ、１２ｃ（以下、雌側ドットボタン部材を総称して、雌側ドットボタン部材１２とも言う）が、取り付けられている。雌側ドットボタン部材１２の間隔は、雄側ドットボタン部材１１と同一の間隔となるように調整されている。この雌側ドットボタン部材１２と雄側ドットボタン部材１１とは、対となって、止め具として機能するドットボタン１０を構成する。
【００２３】
内側取付テープ１３は、内側前立て部７の外面に、内側前立て部７と略平行に縫い合わされて固定される。このような構成により、ポロシャツ１の内側前立て部７には、内側取付テープ１３を介して、雄側ドットボタン部材１１が、一定の間隔で３個固定されることになる。また、外側取付テープ１４は、外側前立て部８の内面に、外側前立て部８と略平行に縫い合わされて固定される。ポロシャツ１の外側前立て部８には、外側取付テープ１４を介して、３個の雌側ドットボタン部材１２が固定される。内側取付テープ１３と外側取付テープ１４とは、雄側ドットボタン部材１１の前身頃２に対するそれぞれの取り付け高さが、雌側ドットボタン部材１２の前身頃２に対する取り付け高さと同一になるように取付位置が調整される。
【００２４】
図１に示すように、外側取付テープ１４は、外側前立て部８の内側の生地にのみ縫い合わされている。このため、外側前立て部８を内側前立て部７に重ね合わせると、内側取付テープ１３と外側取付テープ１４とは、外側前立て部８によって覆い隠されて目視で確認できない状態となる。
【００２５】
右側の襟台９には、雄側ドットボタン部材１１ｄが直接取り付けられている。左側の襟台９には、雌ドットボタン部材１２ｄが直接取り付けられている。襟台９に取り付けられる雄側ドットボタン部材１１ｄと雌ドットボタン部材１２ｄとからなるドットボタン１０ｄは、内側取付テープ１３と外側取付テープ１４に取り付けられるドットボタン１０と同一のものであってもよく、また襟台９の生地が取付テープよりも厚い場合には、より高い強度を有するドットボタンを適用することも可能がある。
【００２６】
ここで、雌側ドットボタン部材１２ｄの座金は、左側の襟台９の外面に固定されて目視可能な状態となるが、この位置の止め具は開放されることが多いため、ポロシャツ１のデザイン性を損なうおそれは少ない。むしろ、ドットボタン１０ｄを開放したときに、襟ぐりからは内側取付テープ１３と外側取付テープ１４とが見えないため、襟元のデザイン性を損なわないという効果がある。
【００２７】
外側前立て部８の外面には、３個の装飾用ボタン２１ａ、２１ｂ、２１ｃが固定されている。（以下においては、装飾用ボタンを総称して、装飾用ボタン２１とも言う。）装飾用ボタン２１には、前立て部の幅よりも充分小さな直径であって、通常ポロシャツの止め具として用いられるボタンと同等の直径を有するボタンが用いられる。本実施例における装飾用ボタン２１は、雌側ドットボタン部材１２の取付位置に対応する外側前立て部８の外側面に固定される。つまり、装飾用ボタン２１ａは雌側ドットボタン部材１２ａに対して、生地を挟んだ反対側となる表面に配置されており、装飾用ボタン２１ｂは雌側ドットボタン部材１２ｂに対して、生地を挟んだ反対側となる表面に配置されており、装飾用ボタン２１ｃは雌側ドットボタン部材１２ｃに対して、生地を挟んだ反対側である外面側に配置されている。
【００２８】
雄側ドットボタン部材１１ａ、１１ｂ、１１ｃ、１１ｄと、雌側ドットボタン部材１２ａ、１２ｂ、１２ｃ、１２ｄとがそれぞれ結合されると、内側前立て部７の外側に外側前立て部８が重ね合わされた状態で結合されて、前あき部５全体が閉鎖される。このとき、外側取付テープ１４は外側前立て部８によって覆い隠されて目視できない状態となる。また雄側ドットボタン部材１１と、雌側ドットボタン部材１２も全て外側前立て部８によって覆い隠された状態となる。この結果、ポロシャツ１は、前あき部を閉鎖している止め具が、あたかも装飾用ボタン２１ａ、２１ｂ、２１ｃであるかのような外観を呈する。
【００２９】
本実施例のポロシャツ１は、前あき部５に適用される開閉可能な止め具として、雄側ドットボタン部材１１と雌側ドットボタン部材１２とが一対をなしているドットボタン１０が使用される。ドットボタン１０は、従来のボタンとボタンホールとからなる開閉手段と比較すると、結合と開放が非常に容易である。この結果、前あき部５を容易に開閉することができ、着脱が容易なポロシャツ１が提供される。
【００３０】
しかも本実施例のポロシャツ１は、外側前立て部８の外面に装飾用ボタン２１が配置されている。前立て部５を閉鎖した状態では、ドットボタン１０が外側からは見えない状態となるので、前あき部５が装飾用ボタン２１によるボタンがけで留められているかのような外観を提供することができ、ファッション性、デザイン性に優れている。
【００３１】
（第二実施例）
以下に、本考案に係る上衣の第二実施例であるワイシャツ３１について詳細に説明する。第一実施例と同一の構成については、同一符号を付して、重複説明を割愛する。図３は、第二実施例に係るワイシャツ３１の正面図である。ワイシャツ３１は、前身頃３２と、後ろ身頃３６と、襟３３と、袖３４とを備えており、前身頃３２を左右に開放可能とする前あき部３５が設けられている。前あき部３５の右側の縁部には、前身頃３２の生地の縁部を内側へ帯状に折り曲げて縫い合わせることで、内側前立て部３７が設けられている。前あき部３５の左側の縁部にもまた、前身頃３２の生地の縁部を内側へ帯状に折り曲げて縫い合わせることで、外側前立て部３８が設けられている。尚、本実施例では、重ね合わせたときに左側の前立て部が外側となるワイシャツ３１について説明を行っているが、前立て部のどちら側を外側とするかは、適宜変更が可能である。
【００３２】
ワイシャツ３１の内側前立て部３７の外面には、７個の雄側ドットボタン部材１１が一定の間隔で取り付けられた内側取付テープ４３が、縫い合わされて固定されている。外側前立て部３８の内面には、７個の雌側ドットボタン部材１２が取り付けられた外側取付テープ４４が、縫い合わされて固定されている。また、右側の襟台３９には、雄側ドットボタン部材１１が直接取り付けられており、左側の襟台３９には、雌側ドットボタン部材１２が直接取り付けられている。襟台３９に雌側ドットボタン部材１２を取り付ける座金２２は、襟台３９の外面に固定されて目視可能な状態となるが、この位置の止め具は開放されるか、または図示されないネクタイの下に位置することが多いため、ワイシャツ３１のデザイン性を損なう虞は少ない。内側前立て部３７と外側前立て部３８とは、いずれも襟下から裾まで連続して形成されているために、第一実施例と比較すると、配置されるドットボタンの数がより多くなっている。外側前立て部３８の外面には、７個の装飾用ボタン４１が固定されている。装飾用ボタン４１は、雌側ドットボタン部材１２に対して、生地を挟んだ反対側である外側前立て部３８の外面側に配置されている。
【００３３】
雄側ドットボタン部材１１と雌側ドットボタン部材１２とが一対一で全て結合されると、内側前立て部３７の外側に外側前立て部３８が重ね合わされた状態で結合されることになり、前あき部３５全体が閉鎖される。このとき、内側取付テープ４３と外側取付テープ４４は、外側前立て部３８によって覆い隠されて目視できない状態となる。また雄側ドットボタン部材１１と、雌側ドットボタン部材１２も全て外側前立て部３８によって覆い隠された状態となる。この結果、ポロシャツ１は、前あき部３５が、あたかも装飾用ボタン２１である閉鎖されているかのような外観を呈する。
【００３４】
本実施例のワイシャツ３１は、前あき部３５の止め具として、ドットボタン１０が使用される。ワイシャツ３１の前あき部は、前身頃全体を開放する様に設けられているため、配置されるドットボタン１０の数が多く、従来のボタンとボタンホールとを備えたワイシャツと比較すると、着脱に要する時間を著しく短縮することができる。また、本実施例のワイシャツ３１は、前あき部３５を閉鎖した状態では、外側前立て部３８の外面に配置された装飾用ボタン４１によって前あき部３５がボタンがけで留められているかのような外観を提供することができるので、従来のワイシャツと同様の場面で使用することが可能である。
【００３５】
（第三実施例）
本実施例では、襟台が設けられておらず、襟がポロシャツの身頃に直接縫い付けられている「リブ襟型」のポロシャツに本考案を適用した形態について説明する。本実施例では、ポロシャツに取り付けられる全ての雄側ドットボタン部材が予め内側取付テープに固定されている。またポロシャツに取り付けられる全ての雌側ドットボタン部材が予め外側取付テープに固定されている。これらの内側取付テープと外側取付テープとがポロシャツの前立て部にそれぞれ縫い付けられることによって、全てのドットボタンが取付テープを介してポロシャツに取り付けられる。また装飾ボタンは、外側前立て部の外面に一定の間隔でとりつけられる。装飾ボタンのうちの一つを、外側前立て部の上端部に配置することによって、全てのドットボタンを結合して前立て部を閉鎖した状態では、ボタンがけで前あき部を閉じるポロシャツとほぼ同一の外観を提供することができ、ファッション性、デザイン性に優れている。
【００３６】
以上、実施例において本考案の具体例を詳細に説明したが、これらは例示にすぎず、実用新案登録請求の範囲を限定するものではない。実用新案登録請求の範囲に記載の技術には、以上に例示した具体例を様々に変形、変更したものが含まれる。例えば実施例では、ポロシャツとワイシャツについて説明したが、その他のシャツ類はむろんこと、襟の有無を問わずジャケットやコートにも適用が可能である。上衣に設けるドットボタンの数を４又は８個に限定したが、取り付けるドットボタンの数は、適宜変更が可能である。また、また、
【産業上の利用可能性】
【００３７】
本考案に係る技術は、上衣の前あき部に適用するだけでなく、袖口にも適用して、袖口の開閉を容易にすることが可能である。また、バッグや靴等にも適用が可能である。
【符号の説明】
【００３８】
１    ポロシャツ
２、３２    前身頃    
３、３３    襟
４、３４    袖
５、３５    前あき部
６、３６    後ろ身頃
７、３７    内側前立て部
８、３８    外側前立て部
９、３９    襟台
１０    ドットボタン
１１    雄側ドットボタン部材
１２    雌側ドットボタン部材
１３、４３    内側取付テープ
１４、４４    外側取付テープ
２１、４１    装飾用ボタン
３１    ワイシャツ
【図１】
0003175405.tif 000003
【図２】
0003175405.tif 000004
【図３】
0003175405.tif 000005
【手続補正書】
【提出日】平成24年2月23日(2012.2.23)
【手続補正１】
【補正対象書類名】実用新案登録請求の範囲
【補正対象項目名】請求項２
【補正方法】変更
【補正の内容】
【請求項２】
複数の前記雄側ドットボタン部材が、所定の間隔で内側取付テープに固定されており、
複数の前記雌側ドットボタン部材が、前記雄側ドットボタン部材と同一の間隔で外側取付テープに固定されており、
前記内側取付テープが前記内側前立て部の外面に固定されることで前記雄側ドットボタン部材が前記内側前立て部に取り付けられており、
前記外側取付テープが前記外側前立て部の内面に固定されることで前記雌側ドットボタン部材が前記外側前立て部に取り付けられていることを特徴とする請求項１記載の上衣。